(57)【要約】      （修正有）【課題】地上操作により雪降し中の滑落事故を防ぎ、不要期には簡単に取外しができる、安価な雪降し装置を提供する。【解決手段】棟上の取付け台１に止め具２ａを備えた雪降しシート２を付けて、ロープ３Ａ，３Ｂ，３Ｃを引いて雪の積った雪降しシート２ごと引き落とす。あるいは雪降しシートに復元ロープを追備して、雪降ろし、復元の往復運動により雪降しシートを繰返し使用する。さらに発振器にシートを組み付けて、発振機の振動で発生させた人工雪崩を利用して雪降ろしをする、地上操作型の雪降し装置。【選択図】図１
2012233359.tif 000002
【特許請求の範囲】
【請求項１】
屋根に積った雪を落すための雪降し装置であって、雪降しシートの取付け台と、止め具を備えた少なくとも１枚の雪降しシートで構成され、止め具に付けたロープを引いて積った雪を雪降しシートごと引き落す雪降し装置。
【請求項２】
請求項１記載の止め具に復元ロープを追備して、該止め具に付けた二種類のロープを交互に用いて雪落しシートを往復させて雪降ろしをするシート繰り返し使用可能な請求項1記載の雪降し装置。
【請求項３】
振動発振器を備えた取付け台と雪降しシートとにより、積った雪に振動を与えて発生させた雪崩を併用して屋根に積った雪を降ろす請求項１又は２記載の雪降し装置。    
【発明の詳細な説明】
【技術分野】
【０００１】
本発明は、雪降し装置に関する。
【背景技術】
【０００２】
降雪量の多い地域では屋根上の積雪が一定量を越えると家屋倒壊の危険性が高まる為古くから屋根に上って雪を落す、いわゆる雪降ろしが行われて来た。  この雪降ろしは該当地域の過疎化と高年齢化による雪降ろしする人の減少、雪降ろし中の事故の増加及び雪下ろし費用の上昇などが問題に成っており、その対策として屋根に上らずに雪降ろしが出来る雪降し装置が考案されている。
【０００３】
上記考案されている雪降し装置は、屋根上に設けたヒーター等の熱源を用いて雪を溶
かして落す方式や、屋根上に設けたレールを使って屋根面に沿って雪かき装置を上下さ
せて雪を掻き落とす方式などが有る。  これらは高価な装置にして高い設置費用を必要
とする上に、高いランニングコストを必要とするものであった。
さらに、降雪期以外は不要に成るので撤去、再設置しようとすると高価な追加費用が発
生する物であった。
【先行技術文献】
【特許文献】
【０００４】
【特許文献１】特開２００８−１０６５６５号公報
【特許文献２】特開２００７−２３１７１４号公報
【特許文献３】特開２００８−１９０３０５号公報
【発明の概要】
【発明が解決しようとする課題】
【０００５】
本発明は上記事情を考慮して為されたもので、湿った重い雪が降り続くなど想定外の事態に成っても必要に応じて降雪中にも雪降ろしが出来る安価な装置でランニングコストも安いもの、さらに降雪期が過ぎたら撤去して、必要期に再設置するのも簡単で費用が安く、地上操作で滑落事故の心配が無い雪降し装置を作ることを課題とする。
【課題を解決するための手段】
【０００６】
上記課題を解決するため本発明は汎用の低摩擦シート、例えば広く普及しているブルーシートの様に安価で所定の強度を有する低摩擦シートを用いて屋根を覆う物で、該シートは端部に低摩擦加工を施した樹脂や金属による止め具にロープを付けて、該ロープを引いてシートごと雪を落下させる単純な構造にして安価な雪降し装置と成るものである。
【０００７】
あるいは前記止め具に復元ロープを追備して雪降しシートを上下させて雪降ろしをするシート繰返し使用型の安価な雪降し装置を作る。
【０００８】
また、棟の上に付けた取付け台に振動発振器（以下、これを発振機と言う。）を設けてさらに該発振機に上記シートを組付けて屋根を覆い、積った雪に振動を与えて発生させた人工雪崩を併用して屋根に積った雪を降ろす多くの屋根形状に対応できる安価な雪降し装置を作る。  
【０００９】
本発明の雪降し装置は、軒下に確保した非降雪空間で雪降し機を操作できるので降雪中でも雪降しが出来る。  さらに軒先に簡単な屋台骨構造の迫出し棚を増設してその上に上記シートを伸ばして、軒下から迫出し棚分離れた位置に雪を落す。  あるいは該迫出し棚の前方に溝型の傾斜部を作り、その上にシートを広げて結果的に滑り台と為し、該滑り台の着地点に降ろした雪を集める事ができる。
【００１０】
また、単純構造の装置を単純作業で使用する上記雪降し装置は、雪質や雪量に関わりなく単純操作で雪下ろしができる上、降雪期以外の期間は前記取付け台を残してシートを撤去する、あるいは雪降し装置全部を撤去して必要期に再設置する事が簡単に出来て取外し、再設置の費用も少なくて済むものである。
【発明の効果】
【００１１】
本発明の雪降し装置は、表面に低摩擦加工を施した前記止め具と安価な雪落し用シートとロープを用いて地上で操作する安価で安全な雪降ろしができる。  あるいは積った雪に振動を与えて発生させた人工雪崩によって雪降ろしをする事により、前記滑落事故の心配が無く装置金額を含むトータルコストが安い雪降し装置である。
さらに、単純な構造なので少ない費用で撤去、再設置ができる、すなわち降雪期が過ぎたら取外して、必要時期に再設置するのが簡単にできる雪降し装置である。
【図面の簡単な説明】
【００１２】
【図１】実施例１の全体図。
【図２】実施例１の取付け構造を示す部分開口図。
【図３】実施例２の全体図兼雪降し動作表示図
【図４】実施例３の全体図。
【図５】実施例３の発振器の取付け構造を示す側面開口図。
【発明を実施するための形態】
【００１３】
本発明による第一形態は、棟（屋根の上部）に設けた取付け台に止め具を備えた雪降しシートとロープを付け、該ロープを引いて前記取付け台から止め具を分離して雪降しシートごと引き降ろすもの、すなわち雪が積った状態の雪降しシートに付けたロープを引いて雪降しシート諸共屋根から引き下ろす方式の雪降し装置である。
本第一形態は、前記ロープを引いて取付け台から止め具を分離して雪降しシートごと引き降ろして使う、言わば雪下ろしシート使い切り方式であるが、使用後のシートを保管して次年に再使用できるので結果的に装置の費用は高くならない。
さらに、前記止め具と取付け台の構造を簡略、軽量化して更なるコストダウン化を進める事ができる。
本第一形態は予め年間の雪降ろし回数を決めて必要分の雪落しシートを重ね付けして置く必要が有るが、入母屋造やはかま屋根などの屋根形状にも対応できる物であり、また軽量、安価な前記シートを用いた単純構造なので該シートの数を増しても装置価格が大幅に高くなる事が無く、単純な手動操作でランニングコストも安い雪降ろし装置である。
【００１４】
本発明による第二形態は、前記止め具に復元ロープを追備して雪降しシートを繰返し使用するものである。  すなわち地上からのロープ操作により雪が積った状態の雪降しシートを一定の位置まで引き下げて雪を降ろした後、追備した復元ロープで元に戻す往復運動で該雪降しシートを繰返し使用する、軽量、安価にしてランニングコストの安い地上操作型の雪降し装置である。
【００１５】
本発明による第三形態は、棟上に設ける取付け台に設置した発振器に前記雪下しシートを組付けて屋根を覆い、屋根雪の滑落効果を高めた物である。  すなわち、地上からの無線又は有線操縦により発振機の振動板を通して積った雪に振動を与えて人工雪崩を発生させ、該人工雪崩と雪下ろしシートを併用して雪降ろしをする雪降し装置である。
また、上記取付け台に発振機を設置して、雪降しシートを使わずに上記振動板から積った雪に振動を与えて人口雪崩を発生させても、屋根の勾配によっては雪降し装置として使用する事が出来る。  
なお本発明は、人工雪崩の発生源として発振器を使用するのであって、発振器に使用する振動子の種類を限定する物ではない。  従って必要とする性能と価格に応じて、家庭用のマッサージ機に使われる様な簡単な構造の安価な物から、性能重視で広い周波数帯域が使える産業用の振動子までを適宜選択して使用する事が出来る。
【００１６】
上記第三形態の雪降し装置は、寄棟造やしころ屋根他ほとんどの屋根構造に対応できる上、雪下ろしシートで覆う事により雪止めの付いた屋根でも前記人工雪崩による雪降ろし効果を落さずに雪降ろしが出来る雪降し装置である。  さらに、上記第三形態は雪質、雪量や氷結状態により振動周波数を変えて幅広い状況に対処することができる。
【実施例】
【００１７】
以下、本発明による雪降し装置の実施例について図面を参照して説明する。
【００１８】
図１実施例１は、本発明の雪降し装置の全体図であり、図２は雪降し装置の取付け構造を示す部分開口図である。  なお、図１を含む家全体を示す図とその説明には窓やドアなど屋根関連部材以外の詳細図示及び説明を省略する。
実施例１は図１及び図２により風切り板１aを備えた取付け台１と低摩擦特性を有する止め具２aを備えた雪降しシート２と引き下げロープ３A、３B、３Cと地上に設けたロープリング４A、４B、４C、と手動の巻上機５及び雪降しシート２を固定するリベット２rによって概略構成される。
【００１９】
取付け台１は風切り板１aを棟部側面にネジ止め１bして、さらに複数の吸盤１qで屋根面に固定されている。  止め具２aを備えた雪降しシート２は、上下方向の力に強く左右方向の力に弱く作られた止め具２aの重要構成部材である複数のリベット２rによって、例えば屋根の両面分を分離可能な１組として取付け台１に組み付けられている。
雪下しシート２の止め具２a側を除く三側面は、薄板状のゴム磁石２gを付けて折り曲げて、予め屋根の垂直板に取付けた鉄板（図示せず。）にゴム磁石の磁力で付ける事により、風切り板１aとリベット２rと合わせてシート間に吹き込む風を防ぎ、それに起因する雪降しシート２のバタつきやシート２の吹き飛び事故を防いでいる。
また引下げロープ３A、３B、３Cは風雨で外れない程度の強さにして引く力には剥がれ易い形で雪降しシート２の表面に付けた後、ロープの余剰分をシートの軒側の穴２hから裏側に廻してシートの余剰分と共に巻き込み軒下に付けて置く。（シートとロープの余剰分の巻き込み状態は図示せず。）
【００２０】
上記による実施例１は、前記巻き込んだシートとロープの余剰分を外して、シートの余剰分２mを軒先から下げた後、引下げロープ３A、３B、３Cの余剰分をロープリング４A、４B、４Cを通して巻上機５に取付けて、上記３本のロープを同時に巻き上げる。
該３本のロープを手動で巻き上げると、リベット２rが破損して止め具２aを頂点とする図３同様の形で立ち上がり積った雪を巻き込み、実施例1では雪降しシート２ごと落下させる形で雪降ろしをする。  
上記により実施例１は滑落の危険がある屋根に上る事なく、ランニングコストの安い手動で雪降ろしが出来て軒下に非降雪空間８を確保出来る地上操作型の雪降し装置となる。
【００２１】
なお、本説明並びに以降の説明に於いてシートを複数組合せて使う場合のシート及びそれに用いるロープについては、重複説明を避ける為代表例として単数扱いで説明するが、個々のシートに使うロープには符号を付けて説明する。  
上述の実施例１の方式は、棟側の端に取付け穴を開けただけの様な形状にまで簡略化して止め具２としたシートと複数のリベット２ｒを用いて、これに合う形に簡略化した取付け台に付ける事により究極的な軽量化と低価格化した雪降し装置を作る事ができる。
【００２２】
図３は、実施例２の雪降ろし装置を取付けた全体図兼雪降し動作表示図である。
実施例２は、棟の上に設ける取付け台２１と、止め具２２aを備えて屋根面を覆う１組の雪落しシート２２と、雪降しシートの余剰分２２m及び引下げロープ２３A、２３B、２３Cと追備した復元ロープ３X、３Y、３Z及びロープリング４Ａ、４Ｂ、４Ｃと巻上機５と巻戻機５P（非降雪空間にある巻上機５と巻戻機５Pとロープリングは図示せず。）によって概略構成される。  
【００２３】
実施例２は、雪落しシート２２を繰返し使用して積った雪を降ろすもので、実施例１との相違点はリベット２rを使わない止め具２２（図示せず。）と、追備した復元ロープ３X、３Y、３Zを使った往復運動で雪落しシート２２を繰返し使用する所であって、雪降ろしの基本手法は同様なので重複箇所の説明は省略する。
すなわち巻上機５と引下げロープ２３A、２３B、２３Cを使って、雪が積った状態の雪降しシート２２を引いて雪を降ろした後、復元ロープ３X、３Y、３Zを巻上機５と同型の巻戻機５Pで引いて復元する雪降しシート繰返し使用型の雪降し装置である。  
さらに前記ロープリング４A、４B、４Cの設置場所を変えて、３本のロープとシートの余剰分２２mを軒先から前方に傾斜させて非降雪空間８を広げると共に雪の降ろし場所を前方に変えることが出来る。  
【００２４】
上記による本実施例１及び実施例２は滑落の危険がある屋根に上ることなく、手動でランニングコストが安く、軒下に設けた非降雪空間８で巻上と復元の操作が出来るので降雪中でも雪降しが出来る地上操作型の雪降し装置である。  さらに巻上機５或いは、巻上機５と巻戻し機５Ｐを一体化してモーター駆動による機械化をすることが出来る。
【００２５】
図４は実施例３の雪降ろし装置の全体図で、図５は発振器の取付け状態を示す部分開口図である。  
実施例３は、棟の上の取付け台３１に設けた振動板６aを備えた発振器６と雪降しシート３２とコントローラー７（図示せず。）によって概略構成される。  
上記実施例３は、発振機６の一部である振動板６aに、３側面に薄板状のゴム２gを備えて隙間風の侵入を防いだ雪降しシート３２を組付けて屋根を覆うと共に、屋根面の抵抗を減らして人工雪崩の滑落効果を高めたもので、例えば雪止の付いた屋根でも円滑な雪降しが出来る様にしたものである。  すなわち、コントローラー７を使って無線操縦する発振器６から振動板６aを通して積った雪に振動を与えて振動板６aを発生源とする人工雪崩を発生させ、該人工雪崩と雪降しシート３２を併用して屋根の雪降ろしをする地上操作型の雪降し装置である。
【００２６】
上述した本発明は、単純構造の装置を使った単純作業で雪質や雪量に関わりなく必要に応じて雪下ろしができる上、降雪期以外の期間の撤去、再設置の費用も少なくて済む経済的な雪降ろし装置を作る事ができる。
なお、本発明は使用するシート数及び付帯するロープ数を限定しない。  すなわち、屋根の形状や雪降ろしの予定回数に基く雪下ろしシート数及び該シートに使用するロープ数を限定する物ではない。
【００２７】
また、本発明は図３の様にロープリング４A、４B、４Cの設置場所を変えて、例えばロープと前記シートの余剰分２mを軒先から前方に傾斜させて雪の降ろし場所を変えることが出来る。  さらに、軒先に迫出し棚（図示せず。）を設けて、例えば軒先より前方にせり出した棚の上にシートの余剰分２mを伸ばして屋根から降ろした雪を所定の前方に落す事が出来る。  あるいは、軒先より前方に伸ばした迫出し棚の端に傾斜部を作り、その上にシートの余剰分２mを広げて滑り台様の傾斜溝を作り（図示せず。）、屋根から降ろした雪を該滑り台の着地方向に落すことが出来る。
さらに上記実施例３は、取付け台３１を屋根の形状に適合させることにより、入母屋造や寄せ棟造他多くの屋根構造に対応できる雪降し装置を作る事が出来る。
また、実施例1及び実施例２の方式では軒下や前記非降雪空間８に巻上機５を設けて操作する事、実施例３の方式では前記非降雪空間８など降雪を避けた場所でコントローラー７を操作する事により、降雪中でも雪降しが出来る雪降し装置と成る。
【産業上の利用可能性】
【００２８】
本発明は、屋根に積った雪を降ろす雪降し装置として用いられる。  
【符号の説明】
【００２９】
１・・・・取付け台
２１・・・実施例２の取付け台
３１・・・実施例３の取付け台
１a・・・風切り板
１b・・・ネジ
１q・・・吸盤
２・・・・雪降しシート
２２・・・実施例２の雪降しシート
３２・・・実施例３の雪降しシート
２a・・・止め具
２２a・・・実施例２の止め具
３２a・・・実施例３の止め具
２g・・・薄板状のゴム磁石
２h・・・シート軒側の穴
２m・・・シートの余剰分
２２m・・・実施例２のシートの余剰分
２ｒ・・・リベット
３・・・・ロープ
３Ａ，３Ｂ，３Ｃ・・引下げロープ
２３Ａ，２３Ｂ，２３Ｃ・・実施例２の引下げロープ
３Ｘ，３Ｙ，３Ｚ・・復元ロープ
４Ａ，４Ｂ，４Ｃ・・ロープリング
５・・・・巻上機
５P・・・巻き戻し機
６・・・・発振器
６a・・・振動板
７・・・・コントローラー
８・・・・非降雪空間
【図１】
2012233359.tif 000003
【図２】
2012233359.tif 000004
【図３】
2012233359.tif 000005
【図４】
2012233359.tif 000006
【図５】
2012233359.tif 000007